(57)【要約】【課題】切断誘導線を簡単に切り開いて開封することができる包装箱を提供する。【解決手段】包装箱１であって、前端壁１１には、開封開始部４０が形成されるとともに、開封開始部４０から左右方向に延びている第一切断誘導線Ｌ１１が形成されている。側壁１３，１４には、前後方向に延びている第二切断誘導線Ｌ２１が形成されている。後端壁１２には、左右方向に延びている第三切断誘導線Ｌ３１が形成されている。後端壁１２は、第三切断誘導線Ｌ３１によって、上側壁部１２ａと下側壁部１２ｂとに区画され、上側壁部１２ａの下縁部には、下方に突出した突出片１２ｃが形成されている。【選択図】図１
2018177241.tif 000002
【特許請求の範囲】
【請求項１】
角筒状に形成された胴部と、
前記胴部の上下の開口部を閉塞している頂板および底板と、を備え、
前記胴部は、前後一対の端壁および左右一対の側壁を有しており、
前側の前記端壁には、開封開始部が形成されるとともに、前記開封開始部から左右方向に延びている第一切断誘導線が形成され、
前記側壁には、前後方向に延びている第二切断誘導線が形成され、
後側の前記端壁には、左右方向に延びている第三切断誘導線が形成されており、
後側の前記端壁は、前記第三切断誘導線によって、上側壁部と下側壁部とに区画され、
前記上側壁部の下縁部には、下方に突出した突出片が形成されていることを特徴とする包装箱。
【請求項２】
請求項１に記載の包装箱であって、
前側の前記端壁には、前記開封開始部から上方に向けて延びている左右一対の上側罫線が形成されていることを特徴とする包装箱。
【請求項３】
請求項１または請求項２に記載の包装箱であって、
前側の前記端壁には、前記開封開始部から下方に向けて延びている左右一対の下側罫線が形成されていることを特徴とする包装箱。
【請求項４】
請求項１から請求項３のいずれか一項に記載の包装箱であって、
前記第二切断誘導線の前部は、後方に向かうに連れて前記側壁の下縁部に近づくように傾斜するとともに、
前記第二切断誘導線の後部は、後方に向かうに連れて前記側壁の上縁部に近づくように傾斜しつつ、上方に向けて凸形状となるように湾曲していることを特徴とする包装箱。
【請求項５】
請求項１から請求項４のいずれか一項に記載の包装箱であって、
前記第一切断誘導線の左右の端部は、前側の前記端壁の左右の縁部に対して間隔を空けて配置され、
前記第二切断誘導線の前後の端部は、前記側壁の前後の縁部に対して間隔を空けて配置され、
前記第三切断誘導線の左右の端部は、後側の前記端壁の左右の縁部に対して間隔を空けて配置されていることを特徴とする包装箱。
【発明の詳細な説明】
【技術分野】
【０００１】
本発明は包装箱に関する。
【背景技術】
【０００２】
包装箱としては、前後左右の壁部にミシン目状の切断誘導線が連続して形成されており、切断誘導線を上下に切り開いて上部を切り取ることで、開封するように構成されているものがある（例えば、特許文献１参照）。
【先行技術文献】
【特許文献】
【０００３】
【特許文献１】実用新案登録第３１９７４０８号公報
【発明の概要】
【発明が解決しようとする課題】
【０００４】
前記した従来の包装箱を開封するときには、前端壁に形成された開封開始部に手を掛けて、包装箱の上部を後方に向けて傾動させることで、切断誘導線を上下に切り開いている。このとき、包装箱の上部に大きな力を加える必要があり、包装箱を開封し難いという問題がある。
【０００５】
本発明は、前記した問題を解決し、切断誘導線を簡単に切り開いて開封することができる包装箱を提供することを課題とする。
【課題を解決するための手段】
【０００６】
前記課題を解決するため、本発明は、包装箱であって、角筒状に形成された胴部と、前記胴部の上下の開口部を閉塞している頂板および底板と、を備え、前記胴部は、前後一対の端壁および左右一対の側壁を有している。前側の前記端壁には、開封開始部が形成されるとともに、前記開封開始部から左右方向に延びている第一切断誘導線が形成されている。前記側壁には、前後方向に延びている第二切断誘導線が形成されている。後側の前記端壁には、左右方向に延びている第三切断誘導線が形成されている。後側の前記端壁は、前記第三切断誘導線によって、上側壁部と下側壁部とに区画され、前記上側壁部の下縁部には、下方に突出した突出片が形成されている。
【０００７】
なお、開封開始部は、包装箱を開封するときに手を掛けるための開口部である。開封開始部は、包装箱の開封時に開口してもよく、または、ブランクシートの製造時や包装箱の組立時に開口してもよい。
また、切断誘導線は、例えば、切れ込みを断続的に形成したミシン目状の線や、シートの片面のみを切断したハーフカット線である。
【０００８】
本発明の包装箱を開封するときは、開封開始部に手を掛けて、包装箱の上部を下部に対して後方に向けて傾動させることで、前側の端壁および左右の側壁の切断誘導線を切り開くことができる。このとき、後側の端壁の上側壁部が下側壁部に対して後方に向けて折れ曲がり、上側壁部の突出片が内側に入り込んで内容物に当接する。これにより、包装箱の上部は突出片を支点として傾動するため、梃子の原理により、包装箱の上部を小さい力で傾動させることができる。
【０００９】
前記した包装箱において、前側の前記端壁には、前記開封開始部から上方に向けて延びている左右一対の上側罫線を形成することが好ましい。
この構成では、包装箱を開封するときに、開封開始部に手を掛けて、前側の端壁の上部を前方に引き出すと、左右の上側罫線が折れ曲がることで、前側の端壁の上部を大きく引き出すことができる。これにより、第一切断誘導線を確実に切り開くことができる。
【００１０】
前記した包装箱において、前側の前記端壁には、前記開封開始部から下方に向けて延びている左右一対の下側罫線を形成することが好ましい。
この構成では、包装箱を開封するときに、開封開始部に手を掛けて、前側の端壁の下部を前方に引き出すと、左右の下側罫線が折れ曲がることで、前側の端壁の下部を前方に大きく引き出すことができる。これにより、一方の手で前側の端壁の下部を押さえつつ、他方の手で前側の端壁の上部を引き上げることができる。
【００１１】
前記した包装箱において、前記第二切断誘導線の前部は、後方に向かうに連れて前記側壁の下縁部に近づくように傾斜させるとともに、前記第二切断誘導線の後部は、後方に向かうに連れて前記側壁の上縁部に近づくように傾斜しつつ、上方に向けて凸形状となるように湾曲させることが好ましい。
【００１２】
この構成では、包装箱の上部を引き上げ始めたときには、第二切断誘導線の前部が斜め下方に向けて切り開かれる。その後、包装箱の上部を後方に向けて傾動させていくと、包装箱の上部の回転移動に沿って第二切断誘導線の後部がスムーズに切り開かれる。
このように、第二切断誘導線は、包装箱の上部を引き上げていく段階に応じて、切り開き易い形状に形成されているため、第二切断誘導線を容易に切り開くことができる。
【００１３】
前記した包装箱において、前記第一切断誘導線の左右の端部を、前側の前記端壁の左右の縁部に対して間隔を空けて配置することが好ましい。また、前記第二切断誘導線の前後の端部を、前記側壁の前後の縁部に対して間隔を空けて配置することが好ましい。また、前記第三切断誘導線の左右の端部を、後側の前記端壁の左右の縁部に対して間隔を空けて配置することが好ましい。
【００１４】
この構成では、胴部の前後左右の角部に切断誘導線が形成されないため、胴部の角部に切断誘導線が形成されている場合に比べて、包装箱の強度を高めることができる。
【発明の効果】
【００１５】
本発明では、包装箱の上部を下部に対して小さい力で傾動させて切断誘導線を切り開くことができるため、包装箱を容易に開封することができる。
【図面の簡単な説明】
【００１６】
【図１】本発明の実施形態に係る包装箱を前方右上から見た斜視図である。
【図２】本発明の実施形態に係る包装箱を後方左下から見た斜視図である。
【図３】本発明の実施形態に係る包装箱を示したブランクシートである。
【図４】本発明の実施形態に係る包装箱の開封手順を示した図で、第一切断誘導線を切り開いた状態の斜視図である。
【図５】本発明の実施形態に係る包装箱の開封手順を示した図で、第二切断誘導線を切り開いた状態の側断面図である。
【図６】本発明の実施形態に係る包装箱を開封した状態の斜視図である。
【発明を実施するための形態】
【００１７】
本発明の実施形態について、適宜図面を参照しながら詳細に説明する。
以下の説明において、前後左右方向とは、各実施形態の包装箱を説明する上で便宜上設定したものであり、包装箱の構成を限定するものではない。
【００１８】
本実施形態の包装箱１は、図１および図２に示すように、直方体のＡ式段ボール箱である。包装箱１は、角筒状に形成された胴部１０と、胴部１０の上側の開口部を閉塞している頂板２０と、胴部１０の下側の開口部を閉塞している底板３０と、を備えている。
【００１９】
包装箱１は、図３に示すように、一枚の段ボール製のシートを切り抜いたブランクシートＳを各罫線において山折りまたは谷折りすることで形成される。図３に示すブランクシートＳは外面側が見えるように配置されている。
ブランクシートＳの各罫線（折線）は、ブランクシートＳの表面を押し込んで形成された線状の溝である。なお、罫線に切れ込みを形成してもよい。このようにすると、罫線においてブランクシートＳを折り曲げ易くなる。
【００２０】
胴部１０は、図１に示すように、前後一対の前端壁１１および後端壁１２と、左右一対の左側壁１３および右側壁１４と、を備えている。前端壁１１、後端壁１２、左側壁１３および右側壁１４は、それぞれ四角形の壁部である。
【００２１】
前端壁１１の左縁部には、図２に示すように、罫線Ｌ１を介して、左側壁１３が連設されている。左側壁１３は、前端壁１１の左縁部から後方に向けて延びている。左側壁１３は、前端壁１１に対して垂直に形成されている。
【００２２】
前端壁１１の右縁部には、図１に示すように、罫線Ｌ２を介して、右側壁１４が連設されている。右側壁１４は、前端壁１１の右縁部から後方に向けて延びている。右側壁１４は、前端壁１１に対して垂直に形成されている。右側壁１４は左側壁１３と同じ形状である。
【００２３】
右側壁１４の後縁部には、図２に示すように、罫線Ｌ３を介して、後端壁１２が連設されている。後端壁１２は、右側壁１４の後縁部から左方に向けて延びている。後端壁１２は、右側壁１４に対して垂直に形成されている。後端壁１２は前端壁１１と同じ形状である。
【００２４】
後端壁１２の左縁部には、罫線Ｌ４を介して、接合片１５が連設されている。接合片１５は、後端壁１２の左縁部に沿って帯状に形成されている。接合片１５は、左側壁１３の内面の後端部に接着剤によって接合される部位である。
【００２５】
ブランクシートＳ（図３参照）を罫線Ｌ１〜Ｌ４で折り曲げつつ、接合片１５を左側壁１３の内面に接合すると、左側壁１３、前端壁１１、右側壁１４および後端壁１２が四角形の角筒状を呈するようになる。
【００２６】
頂板２０は、図１に示すように、左側壁１３または右側壁１４の上縁部に連設された左右の内フラップ２１，２１と、前端壁１１または後端壁１２の上縁部に連設された前後の外フラップ２２，２２と、によって形成されている。
前後の外フラップ２２，２２を左右の内フラップ２１，２１の上面に重ねて、前後の外フラップ２２，２２の先端縁部同士をテープなどの接合手段によって接合することで、頂板２０が形成されている。
【００２７】
底板３０は、図２に示すように、左側壁１３または右側壁１４の下縁部に連設された左右の内フラップ３１，３１と、前端壁１１または後端壁１２の下縁部に連設された前後の外フラップ３２，３２と、によって形成されている。
前後の外フラップ３２，３２を左右の内フラップ３１，３１の上面に重ねて、前後の外フラップ３２，３２の先端縁部同士をテープなどの接合手段によって接合することで、底板３０が形成されている。
【００２８】
前端壁１１には、図１に示すように、開封開始部４０が形成されている。開封開始部４０は、包装箱１を開封するときに手を掛けるための開口部である（図４参照）。開封開始部４０は、図１に示すように、左右方向に延びている長方形に形成されている。包装箱１を開封する前は、後記する上側壁部１１ａの折り返し片１１ｃによって塞がれている。
本実施形態の開封開始部４０は、前端壁１１の下部に形成されている。また、開封開始部４０は前端壁１１の左右方向の中央部に形成されている。
【００２９】
前端壁１１には、開封開始部４０から左右方向に延びている左右の第一切断誘導線Ｌ１１，Ｌ１１が形成されている。第一切断誘導線Ｌ１１はミシン目状の線である。第一切断誘導線Ｌ１１は、前端壁１１の下縁部に平行している。
【００３０】
左側の第一切断誘導線Ｌ１１は、開封開始部４０の上縁部の左端部から前端壁１１の左縁部に向けて直線状に延びている。左側の第一切断誘導線Ｌ１１の左端部は、前端壁１１の左縁部に対して間隔を空けて配置されている。
右側の第一切断誘導線Ｌ１１は、開封開始部４０の上縁部の右端部から前端壁１１の右縁部に向けて直線状に延びている。右側の第一切断誘導線Ｌ１１の右端部は、前端壁１１の右縁部に対して間隔を空けて配置されている。
【００３１】
左右の第一切断誘導線Ｌ１１，Ｌ１１および開封開始部４０は、図４に示すように、前端壁１１を上下に切り離すときの境界線である。
前端壁１１は、図１に示すように、左右の第一切断誘導線Ｌ１１，Ｌ１１および開封開始部４０を境にして、上側壁部１１ａと下側壁部１１ｂとに区画されている。
【００３２】
前端壁１１の上側壁部１１ａの下縁部の中央部には、下方に突出した折り返し片１１ｃが形成されている。この折り返し片１１ｃによって開封開始部４０が塞がれている。
折り返し片１１ｃの上縁部は、罫線Ｌ１２を介して上側壁部１１ａに連設されている。折り返し片１１ｃの左右の縁部および下縁部は、ミシン目状の切断誘導線Ｌ１３を介して下側壁部１１ｂに連設されている。
【００３３】
前端壁１１の上側壁部１１ａの内面には、開封開始部４０の上縁部の左右の端部から前端壁１１の上縁部に向けて、左右一対の上側罫線Ｌ１５，Ｌ１５が形成されている。
左右の上側罫線Ｌ１５，Ｌ１５の左右方向の間隔は、開封開始部４０から前端壁１１の上縁部に向かうに連れて広がっている。上側罫線Ｌ１５の上端部は、前端壁１１の上縁部に対して間隔を空けて配置されている。
【００３４】
前端壁１１の下側壁部１１ｂの内面には、開封開始部４０の下縁部から前端壁１１の下縁部に亘って、左右一対の下側罫線Ｌ１６，Ｌ１６が形成されている。左右の下側罫線Ｌ１６，Ｌ１６の左右方向の間隔は、開封開始部４０から前端壁１１の下縁部に向かうに従って狭くなっている。
【００３５】
なお、上側罫線Ｌ１５および下側罫線Ｌ１６は、前端壁１１の内面に形成されているが、上側罫線Ｌ１５および下側罫線Ｌ１６の構成を分かり易く説明するため、各図において上側罫線Ｌ１５および下側罫線Ｌ１６を前端壁１１の外面に図示している。
【００３６】
左側壁１３には、図２に示すように、左右方向に延びている左側の第二切断誘導線Ｌ２１が形成されている。左側の第二切断誘導線Ｌ２１はミシン目状の線である。
左側の第二切断誘導線Ｌ２１の前端部は、左側壁１３の前縁部に対して僅かに間隔を空けて配置され、左側の第二切断誘導線Ｌ２１の後端部は、左側壁１３の後縁部に対して間隔を空けて配置されている。
【００３７】
左側の第二切断誘導線Ｌ２１の前端部は、第一切断誘導線Ｌ１１と同じ高さに配置されている。また、左側の第二切断誘導線Ｌ２１の後端部は、前端部よりも上側に配置されている。
【００３８】
左側の第二切断誘導線Ｌ２１は、図５に示すように、左側壁１３を上下に切り離すときの境界線である。左側壁１３は、図２に示すように、左側の第二切断誘導線Ｌ２１を境にして、上部と下部に区画されている。
【００３９】
第二切断誘導線Ｌ２１の前部Ｌ２１ａは、後方に向かうに連れて左側壁１３の下縁部に近づくように傾斜している。すなわち、前部Ｌ２１ａは、前端部から後端部に向かうに連れて、前後方向（水平方向）に対して斜め下向きに傾斜している。
第二切断誘導線Ｌ２１の後部Ｌ２１ｂは、後方に向かうに連れて左側壁１３の上縁部に近づくように傾斜しつつ、上方に向けて凸形状となるように湾曲している。すなわち、後部Ｌ２１ｂは、前端部から後端部に向かうに連れて、前後方向（水平方向）に対して斜め上向きに傾斜している。
このように、第二切断誘導線Ｌ２１は、直線状の前部Ｌ２１ａと、円弧状の後部Ｌ２１ｂとが連続した形状となっている。本実施形態では、前部Ｌ２１ａの前後方向の長さよりも後部Ｌ２１ｂの前後方向の長さが大きく形成されている。
【００４０】
右側壁１４には、図１に示すように、右側の第二切断誘導線Ｌ２１が形成されている。右側の第二切断誘導線Ｌ２１は、左側の第二切断誘導線Ｌ２１と同じ形状であり、直線状の前部Ｌ２１ａと、円弧状の後部Ｌ２１ｂとが連続している。
右側の第二切断誘導線Ｌ２１の前端部は、右側壁１４の前縁部に対して間隔を空けて配置され、右側の第二切断誘導線Ｌ２１の後端部は、右側壁１４の後縁部に対して間隔を空けて配置されている。
【００４１】
後端壁１２には、図２に示すように、左右方向に延びている第三切断誘導線Ｌ３１が形成されている。第三切断誘導線Ｌ３１はミシン目状の線である。
第三切断誘導線Ｌ３１の左端部は、後端壁１２の左縁部に対して間隔を空けて配置され、第三切断誘導線Ｌ３１の右端部は、後端壁１２の右縁部に対して間隔を空けて配置されている。
【００４２】
第三切断誘導線Ｌ３１は、後端壁１２を上下に切り離すときの境界線である（図５参照）。後端壁１２は、第三切断誘導線Ｌ３１を境にして、上側壁部１２ａと下側壁部１２ｂとに区画されている。
【００４３】
第三切断誘導線Ｌ３１には、左右方向の中央部に形成された凹部Ｌ３１ａと、凹部Ｌ３１ａから左右方向に延びている左右の直線部Ｌ３１ｂ，Ｌ３１ｂとが形成されている。凹部Ｌ３１ａは、左右の直線部Ｌ３１ｂ，Ｌ３１ｂに対して下方に窪んだ部位である。
【００４４】
後端壁１２の上側壁部１２ａの下縁部には、下方に突出した突出片１２ｃが形成されている。この突出片１２ｃは、第三切断誘導線Ｌ３１の凹部Ｌ３１ａ内に形成されている。
【００４５】
接合片１５には、図３に示すように、第四切断誘導線Ｌ４１が形成されている。接合片１５の第四切断誘導線Ｌ４１は、左側壁１３の第二切断誘導線Ｌ２１に重なるように形成されている（図１参照）。第四切断誘導線Ｌ４１は、左側壁１３の第二切断誘導線Ｌ２１とともに切り開かれる（図５参照）。
【００４６】
次に、本実施形態の包装箱１を開封する手順について説明する。
図４に示すように、作業者の手によって前端壁１１の折り返し片１１ｃを胴部１０の内側に押し込むと、折り返し片１１ｃが上向きに折り返され、開封開始部４０が開口する。
【００４７】
続いて、開封開始部４０の上縁部（上側壁部１１ａの下縁部）に手を掛けて、前端壁１１の上側壁部１１ａを前方に引き出すと、左右の上側罫線Ｌ１５，Ｌ１５が折れ曲がり、上側壁部１１ａの下縁部が前方に大きく引き出される。これにより、左右の第一切断誘導線Ｌ１１，Ｌ１１を確実に切り開くことができる。
【００４８】
また、開封開始部４０の下縁部（下側壁部１１ｂの上縁部）に手を掛けて、前端壁１１の下側壁部１１ｂを前方に引き出すと、左右の下側罫線Ｌ１６，Ｌ１６が折れ曲がり、下側壁部１１ｂが前方に大きく引き出される。
【００４９】
そして、図５に示すように、開封開始部４０の上縁部に手を掛けて、上側壁部１１ａを引き上げる。このとき、一方の手で下側壁部１１ｂを押さえつつ、他方の手で上側壁部１１ａを引き上げることができるため、上側壁部１１ａに力を加え易くなっている。
【００５０】
前端壁１１の上側壁部１１ａを引き上げると、包装箱１の上部が下部に対して後方に向けて傾動し、左右の第二切断誘導線Ｌ２１，Ｌ２１（図１参照）が前端部から後端部に向けて切り開かれていく。なお、第二切断誘導線Ｌ２１は、第一切断誘導線Ｌ１１に連続して切り開かれる。
【００５１】
第二切断誘導線Ｌ２１は、後方に向かうに連れて側壁１３，１４の下縁部に近づくように傾斜しているため、包装箱１の上部を引き上げ始めたときに、第二切断誘導線Ｌ２１が大きく切り開かれることになる。そして、第二切断誘導線Ｌ２１の前部Ｌ２１ａは斜め下方に向けてスムーズに切り開かれる。
その後、包装箱１の上部を後方に向けて傾動させていくと、包装箱１の上部の回転移動に沿って第二切断誘導線Ｌ２１の後部Ｌ２１ｂがスムーズに切り開かれる。
このように、第二切断誘導線Ｌ２１は、包装箱１の上部を引き上げていく段階に応じて、切り開き易い形状に形成されているため、第二切断誘導線Ｌ２１を容易に切り開くことができる。
【００５２】
包装箱１の上部を後方に向けて傾動させると、後端壁１２の上側壁部１２ａが下側壁部１２ｂに対して後方に向けて折れ曲がる。このとき、上側壁部１２ａは、第三切断誘導線Ｌ３１の直線部Ｌ３１ｂを回動軸として下側壁部１２ｂに対して傾動する。
【００５３】
後端壁１２の上側壁部１２ａが後方に向けて傾動すると、第三切断誘導線Ｌ３１の直線部Ｌ３１ｂよりも下側に配置された突出片１２ｃは、前方に向けて傾動することになる。これにより、第三切断誘導線Ｌ３１の凹部Ｌ３１ａが切り開かれ、突出片１２ｃが胴部１０の内側に入り込んで内容物Ｐに当接する。
【００５４】
そして、包装箱１の上部は、後端壁１２の上側壁部１２ａの突出片１２ｃを支点として、後方に向けて傾動するため、梃子の原理により、包装箱１の上部を小さい力で傾動させることができる。
【００５５】
図６に示すように、左右の第二切断誘導線Ｌ２１，Ｌ２１全体を切り開いた後に、左右の第二切断誘導線Ｌ２１，Ｌ２１に連続して第三切断誘導線Ｌ３１を切り開くことで、包装箱１の上部全体を切り取ることができる。
このようにして、包装箱１の上部を開封すると、包装箱１の下部はトレイとなるため、内容物Ｐをトレイに収容した状態で陳列することができる。
【００５６】
以上のような本実施形態の包装箱１では、図５に示すように、包装箱１の上部が後端壁１２の突出片１２ｃを支点として傾動するとともに、第二切断誘導線Ｌ２１は切り開き易い形状に形成されている。
また、本実施形態の包装箱１では、図４に示すように、前端壁１１の上部および下部を大きく引き出して、第一切断誘導線Ｌ１１を確実に切り開くことができる。また、一方の手で前端壁１１の下部を押さえつつ、他方の手で前端壁１１の上部を引き上げることができる。
したがって、本実施形態の包装箱１では、上部を下部に対して小さい力で傾動させて各切断誘導線Ｌ１１，Ｌ２１，Ｌ３１を切り開くことができるため、包装箱１を容易に開封することができる。
【００５７】
本実施形態の包装箱１では、図１に示すように、胴部１０の各角部に切断誘導線Ｌ１１，Ｌ２１，Ｌ３１が形成されていないため、包装箱１の強度を高めることができる。
【００５８】
以上、本発明の実施形態について説明したが、本発明は前記実施形態に限定されることなく、その趣旨を逸脱しない範囲で適宜に変更が可能である。
本実施形態の包装箱１では、図１に示すように、開封開始部４０および各切断誘導線Ｌ１１，Ｌ２１，Ｌ３１が包装箱１の下部に形成されているが、その高さは限定されるものではない。
【００５９】
本実施形態の開封開始部４０は、図４に示すように、折り返し片１１ｃを折り返すことで開口するように構成されているが、開封開始部４０を塞いでいる部位を切り取ることで開口するように構成してもよい。
【００６０】
本実施形態の包装箱１では、前端壁１１の上側壁部１１ａに上側罫線Ｌ１５が形成されるとともに、前端壁１１の下側壁部１１ｂに下側罫線Ｌ１６が形成されているが、前端壁１１に上側罫線Ｌ１５または下側罫線Ｌ１６の一方のみを形成してもよい。さらには、前端壁１１に上側罫線Ｌ１５および下側罫線Ｌ１６の両方を形成しなくてもよい。
【００６１】
本実施形態の包装箱１は段ボール製であるが、各種公知の板紙によって包装箱を形成してもよい。
【符号の説明】
【００６２】
１      包装箱
１０    胴部
１１    前端壁
１１ａ  上側壁部
１１ｂ  下側壁部
１１ｃ  折り返し片
１２    後端壁
１２ａ  上側壁部
１２ｂ  下側壁部
１２ｃ  突出片
１３    左側壁
１４    右側壁
１５    接合片
２０    頂板
３０    底板
４０    開封開始部
Ｌ１１  第一切断誘導線
Ｌ１５  上側罫線
Ｌ１６  下側罫線
Ｌ２１  第二切断誘導線
Ｌ３１  第三切断誘導線
Ｐ      内容物
Ｓ      ブランクシート
【図１】
2018177241.tif 000003
【図２】
2018177241.tif 000004
【図３】
2018177241.tif 000005
【図４】
2018177241.tif 000006
【図５】
2018177241.tif 000007
【図６】
2018177241.tif 000008